(57)【要約】【課題】  携帯性に優れており、電池交換や再充電ないし繰り返し充電を行うことなく、長期間にわたって駆動電力を確保し、緊急時には十分に機能を発揮することができる防犯ブザーを提供する。【解決手段】  充電池や乾電池の代わりにキャパシタ５４を電源として使用している。このため、一般の充電池や乾電池と比較して、長期間電荷を保持することができる，急速充電が可能である，液漏れや爆発の恐れがない，といった利点があり、電池交換や再充電ないし繰り返し充電を行うことなく、長期間にわたってブザー１２の駆動電力を確保し、緊急時には十分に機能を発揮することができる。また、充電を頻繁に行う必要がないために充電ケーブルとの接続も不要となり、携帯性にも優れている。【選択図】図１
2015200922.tif 000002
【特許請求の範囲】
【請求項１】
充電制御手段によって充電される電源手段，これによって発音体を鳴動させる発音駆動手段，前記電源手段の電力を前記発音駆動手段に供給するためのスイッチ手段，を備えた防犯ブザーであって、
前記電源手段として、キャパシタを使用したことを特徴とする防犯ブザー。
【請求項２】
前記キャパシタとして、リチウムイオンキャパシタを用いたことを特徴とする請求項１記載の防犯ブザー。
【請求項３】
前記充電制御手段は、ＵＳＢ端子を利用して前記キャパシタを充電することを特徴とする請求項１又は２記載の防犯ブザー。
【発明の詳細な説明】
【技術分野】
【０００１】
本発明は防犯ブザーに関するものであり、特に充電式の防犯ブザーの改良に関するものである。
【背景技術】
【０００２】
近年、不審者・変質者による犯罪が多発しており、防犯ブザーが携帯されるようになってきている。現状、防災ブザーは、その携帯性の観点から電池を使用しているが、電池切れや電池暴発といった課題が指摘されている。例えば、乾電池や蓄電池を使用する防犯ブザーの場合、２年程度経過すると放電によって電池切れが発生し、いざというときに防犯ブザーとしての機能を果たすことができない。従って、定期的に電池の状態を点検する必要がある。しかし、防犯ブザーは、普段使うことがないものであるため、つい点検を忘れてしまうことが多い。このような点からすると、長期間にわたって交換や充電を行う必要がない電源があれば好都合である。
【０００３】
常に電源を確保するようにした背景技術としては、例えば下記特許文献１記載の「太陽電池付防犯ブザー」がある。これは、防犯ブザーを確実に動作させる電源を常に確保するとともに、緊急時には効果を確実に発揮させることを目的として、太陽電池を備えている。太陽電池による起電力が、充電回路を介して蓄電池に供給され、この蓄電池を電源として発音体を鳴動するようになっている。
【先行技術文献】
【特許文献】
【０００４】
【特許文献１】特開2007-202762号公報
【発明の概要】
【発明が解決しようとする課題】
【０００５】
しかしながら、上述した背景技術では、太陽電池を太陽光が当たる状態としなければならず、太陽電池の電力を防犯ブザーの蓄電池に供給するためのケーブルも必要となり、携帯性に優れているとはいえない。
【０００６】
本発明は、以上のような点に着目したもので、携帯性に優れており、電池交換や充電を行うことなく、長期間にわたって駆動電力を確保し、緊急時には十分に機能を発揮することができる防犯ブザーを提供することを、その目的とする。
【課題を解決するための手段】
【０００７】
本発明は、充電制御手段によって充電される電源手段，これによって発音体を鳴動させる発音駆動手段，前記電源手段の電力を前記発音駆動手段に供給するためのスイッチ手段，を備えた防犯ブザーであって、前記電源手段として、キャパシタを使用したことを特徴とする。
【０００８】
主要な形態の一つは、前記キャパシタとして、リチウムイオンキャパシタを用いたことを特徴とする。他の形態の一つは、前記充電制御手段が、ＵＳＢ端子を利用して前記キャパシタを充電することを特徴とする。本発明の前記及び他の目的，特徴，利点は、以下の詳細な説明及び添付図面から明瞭になろう。
【発明の効果】
【０００９】
本発明によれば、電源としてキャパシタを使用することとしたので、電池交換や、再充電ないし繰返し充電を行うことなく、長期間にわたって駆動電力を確保し、緊急時には十分に機能を発揮することができる。また、一度充電すれば、長期間充電を行う必要がないため、携帯性にも優れている。
【図面の簡単な説明】
【００１０】
【図１】図１は本発明の防犯ブザーの一実施例を示す図である。
【図２】図２は前記実施例の使用状態を示す図である。
【発明を実施するための形態】
【００１１】
以下、本発明を実施するための形態を、実施例に基づいて詳細に説明する。
【実施例１】
【００１２】
図１には本実施例にかかる防犯ブザーが示されている。同図(A)には外観が示されており、防犯ブザーは、箱型の本体１０の主面にブザー１２が設けられており、一端には必要に応じてチェン１４が取り付けられている。また、チェン１４の端部にはフック１５が設けられている。このフック１５を、例えば鞄などの適宜の金具などに引っ掛けることで、本体１０を吊り下げることができるようになっている。本体１０の他端には、ピンスイッチ２０が設けられている。ピンスイッチ２０のスイッチ穴２１には、ストラップ２２に繋げられたピン２４が挿入されている。ストラップ２２を引き抜くことで、ピン２４がスイッチ穴２１から外れてピンスイッチ２０がＯＮとなり、ブザー１２が駆動されて警報音が出力されるようになっている。本体１０の他端には、更に充電端子３０が設けられている。充電端子３０は、例えばマイクロＵＳＢ端子の規格となっており、パソコンなどのＵＳＢ端子にケーブル接続することで充電できるようになっている。また、充電端子３０はゴム栓などによる防水仕様となっている。
【００１３】
本体１０内には、同図(B)に示すように、ブザー１２を鳴動させるための駆動回路５０が設けられており、回路基板５２に、上述したブザー１２，ピンスイッチ２０，充電端子３０の他に、キャパシタ５４やインダクタ複合体５６が接続された構成となっている。図１(C)には、駆動回路５０の回路構成が示されている。同図において、上述した充電端子３０の入力側には、外部から充電用直流電源６０が接続されるようになっている。充電用直流電源６０としては、電池，直流アダプタ，ＵＳＢ電源など、各種のものを利用してよい。充電端子３０の出力側は、充電制御回路６２を介してキャパシタ５４の両端に接続されており、充電制御回路６２によってキャパシタ５４が充電されるようになっている。充電制御回路６２は、キャパシタ５４が良好に充電されるように、例えば充電電圧や充電電流の制御を行う回路である。
【００１４】
キャパシタ５４には、上述したピンスイッチ２０を介して音源信号発生回路６４が接続されている。ピンスイッチ２０のピン２４が引き抜かれてキャパシタ５４から電力が供給されると、音源信号発生回路６４は、ブザー１２を鳴動させるための音源信号，例えばパルス信号を出力するようになっている。音源信号発生回路６４の出力側は、ブザー駆動回路６６を介してブザー１２に接続されている。ブザー駆動回路６６は、上述したインダクタ複合体５６を含んでおり、ブザー１２を駆動するための駆動信号を、音源信号に基づいて生成し出力するためのものである。
【００１５】
次に、本実施例の全体の動作を説明する。最初に、図２(A)に示すように、ピン２４をピンスイッチ２０のスイッチ穴２１に挿入した状態で、充電端子３０に充電用直流電源６０を接続する。例えば、パソコンのＵＳＢ端子と、ＵＳＢケーブル３１で接続する。すると、充電電力が充電制御回路６２を介してキャパシタ５４に印加され、キャパシタ５４の充電が行われる。ここで、例えばキャパシタ５４としてリチウムイオンキャパシタを使用したとすると、数分程度の極めて短い時間でキャパシタ５４を急速充電することができる。なお、この状態では、ピンスイッチ２０がＯＦＦとなっているため、キャパシタ５４が放電されることはない。
【００１６】
次に、利用者は、充電端子３０からＵＳＢケーブル３１を外すとともに、フック１５を利用して例えば鞄などに本体１０を引っ掛けて携行する。そして、事件や事故に遭遇したときは、図２(B)に示すように、ストラップ２２を引いてピン２４をスイッチ穴２１から外す。すると、ピンスイッチ２０がＯＮとなり、キャパシタ５４に充電されている電力が音源信号発生回路６４に供給され、音源信号がブザー駆動回路６６に出力される。これにより、ブザー１２に駆動信号が供給され、警報音がブザー１２から出力されるようになる。
【００１７】
ところで、本実施例では、充電池や乾電池の代わりにキャパシタ５４を使用しており、
ａ，一般の充電池や乾電池と比較して長期間電荷を保持することができる。
ｂ，急速充電が可能である。
ｃ，液漏れや爆発の恐れがない。
といった利点がある。このため、本実施例によれば、電池交換や、再充電ないし繰り返し充電を行うことなく、長期間にわたって駆動電力を確保し、緊急時には十分に機能を発揮することができる。また、充電を頻繁に行う必要がないために充電ケーブルとの接続も不要となり、携帯性にも優れている。
【００１８】
なお、本発明は、上述した実施例に限定されるものではなく、本発明の要旨を逸脱しない範囲内において種々変更を加えることができる。例えば、以下のものも含まれる。
(1)前記実施例のキャパシタ５４として、特にリチウムイオンキャパシタを用いると、以下のような利点がある。
ａ，自己放電少なく、一度充電して６年そのまま保管しても、防犯ブザーとしての認定品基準を満たすことができる。従って、例えば、小学校１年のときに初期充電すれば、小学校を卒業するまで全く充電しなくても駆動電力が保持され、防犯ブザーとしての機能を維持することができる。
ｂ，高速充電が可能であり、数分で満充電できる。
ｃ，充放電は１０万回程度可能であり、長寿命である。
ｄ，発火の危険がなく、資源ゴミも発生しない。
このように、リチウムイオンキャパシタを使用することで、電池切れが発生せず、また電池交換も行うことなく、ほぼ半永久的に使用でき、安全性・環境性の観点からも優れており、利便性が高い。
(2)前記実施例では、充電端子３０をマイクロＵＳＢ端子とした場合を示したが、充電可能であれば、各種の端子形状や規格としてよい。もちろん、専用の充電用アダプタとしてもよい。スマートフォンやタブレット端末など、マイクロＵＳＢ端子を利用して充電する電子機器が普及していることから、それと同じ端子規格とすることで充電の利便性が向上する。
(3)防犯ブザーは、カバンなどの外側に取り付けることが多いので、ピンスイッチ２０や充電端子３０を防水仕様とするとよく、ゴム栓などによる防水構造の他、キャップレス防水の構造としてもよい。
(4)前記実施例で示した形状や回路構成など、同様の機能を奏するように各種変形可能であり、前記実施例に限定されるものではない。
(5)前記実施例のキャパシタとしては、主として、リチウムイオンキャパシタなどの大容量キャパシタを用いる。
【産業上の利用可能性】
【００１９】
本発明によれば、防犯ブザーの電源としてキャパシタを使用することとしたので、電池交換や再充電ないし繰り返し充電を行うことなく、長期間にわたって駆動電力を確保し、携帯性にも優れており、緊急時には十分に機能を発揮することができ、防犯ブザーに好適である。
【符号の説明】
【００２０】
１０：本体
１２：ブザー
１４：チェン
１５：フック
２０：ピンスイッチ
２１：スイッチ穴
２２：ストラップ
２４：ピン
３０：充電端子
３１：ＵＳＢケーブル
５０：駆動回路
５２：回路基板
５４：キャパシタ
５６：インダクタ複合体
６０：充電用直流電源
６２：充電制御回路
６４：音源信号発生回路
６６：ブザー駆動回路
【図１】
2015200922.tif 000003
【図２】
2015200922.tif 000004